(57)【要約】【課題】紙幣収納／繰出部における紙幣の並び方に何らかの異常が発生したと判断した場合は、以降の紙幣を全て再鑑に供するため排出させる。【解決手段】繰出し時における特定紙幣の搬送間隔が、前記紙幣収納／繰出部への収納時における該特定紙幣の搬送間隔との比較において所定の範囲を超えている場合には、前記特定紙幣以降の紙幣を強制的にすべて外に排出させる。【選択図】図１
2005010980.tif 000002
【特許請求の範囲】
【請求項１】
処理すべき紙幣を一括で受け入れる紙幣受入部と、
該紙幣受入部に受け入れた紙幣を１枚ずつ繰り出して搬送する繰出搬送部と、該繰出搬送部の下流側に位置し、前記繰出搬送部によって搬送される各紙幣の金種を識別する金種識別部と、
該金種識別部の下流側に位置し、金種識別された紙幣を２枚のテープ間に挟み込んで巻き取り軸に渦巻き状に巻き取って収納し、必要に応じて前記テープを巻き戻して収納した前記紙幣の繰出しを行う紙幣収納／繰出部と、
前記金種識別部の下流側で、かつ、前記紙幣収納／繰出部の上流側に位置し、前記紙幣収納／繰出部に対して収納又は繰出しされる各紙幣の搬送間隔を検出する紙幣間隔検知手段と、
前記紙幣の金種、前記紙幣収納／繰出部への収納順序及び直前の紙幣との搬送間隔を関連付けて記憶する記憶部と、
を有する入出金処理装置において、
繰出し時における特定紙幣の搬送間隔が、前記紙幣収納／繰出部への収納時における該特定紙幣の搬送間隔との比較において所定の範囲を超えている場合には、前記特定紙幣以降の紙幣を強制的にすべて外に排出するように制御する制御手段をさらに具備したことを特徴とする入出金処理装置。
【発明の詳細な説明】
【０００１】
【発明の属する技術分野】
本発明は入出金処理装置に関するもので、特に紙幣を２枚のテープ間に挟み込んで収納し、必要に応じて巻き戻して、収納した紙幣の繰出しを行う紙幣収納／繰出部を具備した入出金処理装置に関する。
【０００２】
【従来の技術】
紙幣を２枚のテープ間に挟み込んで収納し、必要に応じて巻き戻して逆の順序で繰り出しを行う紙幣収納／繰出部を具備した入出金処理装置として、例えば、本出願人による特願２００２−２０９０３９号明細書に示されるものがある（特許文献１参照）。
【０００３】
これは前記紙幣収納／繰出部を枚数調整部に適用したものであり、紙幣収納／繰出部を金種識別部の下流側に位置させ、選択的に紙幣を取り込んで、取り込んだ順番と金種とを対で制御部内のメモリに記憶しておき、必要に応じてこの記憶内容に基づいて該当紙幣を繰り出すようにしたものである。
【０００４】
紙幣を２枚のテープ間に挟み込んで収納する方式の紙幣収納／繰出部においては、原理的に紙幣の順序が狂う筈がないので、繰り出す紙幣の金種を再確認する必要は無いとの考え方があり、前記特許文献１に記載のものでも繰り出す紙幣の金種の再確認は省略されている。もちろん通常はこれで問題は無いのであるが、繰出し中に紙幣収納／繰出部内でジャムが発生し、そのジャム解除のための復旧処理を行う必要が生じた場合に問題となることがある。例えばジャムを発生した紙幣が変形著しくて搬送に耐えない状態であったならば、この紙幣をテープ間から除去せざるを得ないことになる。そして紙幣を除去することによって当初の順番が狂ってしまい、それによって各紙幣間での金種の整合性がとれなくなってしまうことになる。
【０００５】
具体例で説明すると、千円、一万円、五千円、二千円の各紙幣がこの順に収納されると、制御部内のメモリには順番と金種が対で記憶される。次に、繰り出し時は、収納時と逆の順で繰り出されることになるので、例えば、７千円分を繰り出したいときは、二千円、五千円の順で２枚繰り出せばよい。しかしながら、収納／繰出部内で最初の１枚目（二千円）がジャムってしまった場合、復旧のためにこれを取り除くと、実際の１枚目は五千円、２枚目は一万円に変わってしまうが、入出金処理装置からみれば、１枚目は依然として二千円、２枚目の紙幣は五千円のままである。従って、このまま繰り出しを実行してしまうと、実際には１５，０００円分繰り出しているにもかかわらず計算上は７，０００円しか繰り出されていないという不都合が起こることになる。また、最初の１枚が引っ掛かって、２枚目に先を越され、１枚目と２枚目の順序が狂ってしまう可能性も否定できない。
【０００６】
【特許文献１】
特願２００２−２０９０３９号明細書
【０００７】
【特許文献２】
特開平８−６７３８２号公報
【０００８】
【発明が解決しようとする課題】
上述のように、繰り出す紙幣の順序が狂ってしまった場合には、その後の繰り出し処理の信頼性がなくなるので、処理を停止させ、収納／繰出部にある紙幣をすべて外に出して再鑑する必要がある。
【０００９】
本発明はこのような事情に鑑み為されたものであり、本発明は、紙幣収納／繰出部における紙幣の並び方（序列）に何らかの異常が発生したと判断した場合は、以降の紙幣（紙幣収納／繰出部に残っている紙幣）を全て再鑑に供するため排出するようにして、誤った金種の紙幣を繰り出すことのない入出金処理装置を提供することを目的とする。
【００１０】
【課題を解決する為の手段】
本発明は入出金処理装置に関し、本発明の上記目的は、処理すべき紙幣を一括で受け入れる紙幣受入部と、該紙幣受入部に受け入れた紙幣を１枚ずつ繰り出して搬送する繰出搬送部と、該繰出搬送部の下流側に位置し、前記繰出搬送部によって搬送される各紙幣の金種を識別する金種識別部と、該金種識別部の下流側に位置し、金種識別された紙幣を２枚のテープ間に挟み込んで巻き取り軸に渦巻き状に巻き取って収納し、必要に応じて前記テープを巻き戻して収納した前記紙幣の繰出しを行う紙幣収納／繰出部と、前記金種識別部の下流側で、かつ、前記紙幣収納／繰出部の上流側に位置し、前記紙幣収納／繰出部に対して収納又は繰出しされる各紙幣の搬送間隔を検出する紙幣間隔検知手段と、前記紙幣の金種、前記紙幣収納／繰出部への収納順序及び直前の紙幣との搬送間隔を関連付けて記憶する記憶部と、を有する入出金処理装置において、繰出し時における特定紙幣の搬送間隔が、前記紙幣収納／繰出部への収納時における該特定紙幣の搬送間隔との比較において所定の範囲を超えている場合には、前記特定紙幣以降の紙幣を強制的にすべて外に排出するように制御する制御手段をさらに具備したことを特徴とする入出金処理装置によって達成される。
【００１１】
【発明の実施の形態】
本発明に係る入出金処理装置について、図面を参照して詳細に説明する。
【００１２】
図１は、本発明に係る入出金処理装置の内部構造を示す断面図である。同図中、１は入金する紙幣を一括して受け入れる紙幣受入部、２は受け入れた紙幣の金種を識別する金種識別部であり、該金種識別部で紙幣の順番及び金種が判別され、これが図示しない記憶部に記憶される。また、３は紙幣を２枚のテープ間に挟み込んで収納し必要に応じて巻き戻して逆の順序で繰り出しを行う紙幣収納／繰出部、４は該紙幣収納／繰出部への収納又は繰出される各紙幣の間隔を検知するための透過型の一対の間隔検知センサ、５は紙幣の搬送が行われる紙幣搬送路、６はリジェクトされる紙幣が排出される紙幣返却口である。その他の部分については本発明と直接関係がないので説明は省略するが、その他の構成は前記特許文献２に記載の売上金入金処理装置と同様である。上記構成において、紙幣入金時には、紙幣収納／繰出部３に収納される全ての紙幣について、金種識別部２によってその金種が識別される。一方、一旦紙幣収納／繰出部３に送られた紙幣については、その繰出し時には二度と前記金種識別部２を通ること無く、必要に応じて結束部、バラ紙幣収納部又は紙幣カセットに送られる。なお、前記紙幣収納／繰出部３としては、例えば、前記特許文献２に記載の装置が利用可能である。
【００１３】
図２は、間隔検知センサ（以下、単に「センサ」という。）４と紙幣収納／繰出部３との位置関係を説明するための図である。同図において、紙幣搬送路５上を矢印の向きに搬送された紙幣は、前記紙幣収納／繰出部３に収納される前に一対の透過型センサ４の間を通過する。前記センサ４は、例えば、上側を投光素子、下側を受光素子で構成することにより、紙幣が通過したこと及び通過時間を検知することができる。前記センサ４は、例えば前記紙幣収納／繰出部３の巻き取り軸の回転数をパルスに変換する（図示しない）ロータリーエンコーダの出力パルス（メカクロック）によって駆動されている。
【００１４】
図３は、前記紙幣収納／繰出部３へ紙幣が収納されるときの各紙幣の並びと、センサ４の出力との関係を示した図である。いま、Ｎ番目の紙幣Ｎがセンサ４の上にかかると、センサ４の出力は時刻ｔＮにおいてＨレベル（オン）になる。紙幣Ｎがセンサ４の上を通過し、次の紙幣Ｎ＋１がセンサ４の上にかかるタイミングｔＮ＋１までの間が紙幣Ｎと紙幣Ｎ＋１との間隔に相当するので、この間のメカクロック数をカウントし（これを▲１▼とする。）、これを図示しない記憶部に記憶させる。繰出し時は、この逆に、紙幣Ｎ＋１がセンサ４を通過した後、紙幣Ｎがセンサ４を通過するまでの期間のクロック数をカウントし（これを▲１▼’とする。）、前記▲１▼と▲１▼’とを比較し、▲１▼’が所定の範囲になければ紙幣Ｎに異常が発生したと考えることができる。なお、理想的には（異常が無ければ）▲１▼＝▲１▼’となるはずなので、これ以外をすべて異常として扱うことも理論的には可能であるが、搬送時にスベリや引っかかりによって、▲１▼’が▲１▼から多少ずれることも考えられるので、実際にはある程度の許容誤差を見て、
▲１▼×Ｂ≦  ▲１▼’≦▲１▼×Ａ（但し、Ａ，Ｂは係数で、例えばＢ＝０．９、Ａ＝１．１とする。）の範囲を正常として扱うようにしてもよい。
【００１５】
従って、▲１▼’が前記の範囲を逸脱している場合は、紙幣Ｎを異常であると判定し、紙幣Ｎ以降の紙幣（Ｎ−１，Ｎ−２，…、…２，１）をすべて再鑑定のため排出する。
【００１６】
図４は紙幣繰出し時において、紙幣Ｎ＋１に異常が発生した場合の態様と、そのときのセンサ４の出力との関係を説明するための図である。図４（Ａ）は、紙幣Ｎ＋１が繰出し時に、図５に示すように折れ部が生じていて、これに起因してジャムが発生し繰出しができなくなったとき、図１の筐体の一部を開放してジャム解除のための復旧処理のため、紙幣Ｎ＋１を取り除いた場合を示すものである。
【００１７】
図４（Ａ）において、紙幣Ｎ＋２と紙幣Ｎとの間隔に相当するメカクロックのカウント数▲２▼’は、紙幣Ｎ＋１が除去されているため、図３の▲２▼よりもかなり大きくなる。すなわち、図４（Ａ）の場合、入出金処理装置側では、紙幣Ｎ＋１が人間の手で除去されても、それがデータ上に反映されないので、入出金処理装置は、依然として前記▲２▼’を紙幣Ｎ＋２と紙幣Ｎ＋１との間の間隔としてデータを記憶することになる。そうすると、前記▲２▼’と図３における間隔▲２▼とを比較すれば、大幅な違いが生じるため、入金処理装置は、紙幣Ｎ＋１に異常が生じたと判断し、紙幣Ｎ以降の紙幣をすべて強制的に紙幣返却口６に送って排出し、それらの紙幣を再鑑に供するように制御する。
【００１８】
また、図４（Ｂ）は、紙幣Ｎ＋１が（除去はされていないものの）何らかの原因で斜めに傾いたりした場合にも、▲２▼’（紙幣Ｎ＋２と紙幣Ｎ＋１の間隔）が前記図３の▲２▼と大幅に違う値となることがあることを示すものである。すなわち、紙幣Ｎ＋１が引っ掛かって斜めに傾いた場合は、通常は、▲２▼×Ａ＜▲２▼’となって異常を示すのであるが、紙幣Ｎ＋２も引っ掛かって、紙幣Ｎ＋２と紙幣Ｎ＋１との間隔▲２▼’が図３の▲２▼よりも小さく、つまり▲２▼’＜▲２▼×Ｂになる可能性もある。従って、この場合も異常として扱い、紙幣Ｎ＋１以降の紙幣をすべて強制的に紙幣返却口６に送って排出し、それらの紙幣を再鑑に供するように制御する。
【００１９】
以上のように、本発明に係る入出金処理装置においては、繰り出される紙幣間の間隔の変化を検知することにより、紙幣収納／繰出部３から繰出される紙幣に何らかの繰出し異常若しくは人的介入があったと判断し、それ以降に繰り出されるべき紙幣をすべて強制的に排出するようにしている。
【００２０】
【発明の効果】
本発明に係る入出金処理装置では、紙幣収納／繰出部における紙幣の並び方（序列）に何らかの異常が発生したと判断した場合は、以降の紙幣（紙幣収納／繰出部に残っている紙幣）を全て再鑑に供するため排出するようにしているので、誤った金種の紙幣を繰り出すことを未然に防止することができる。
【図面の簡単な説明】
【図１】本発明に係る入出金処理装置の内部構造を示す断面図である。
【図２】間隔検知センサと紙幣収納／繰出部との位置関係を説明するための図である。
【図３】紙幣収納／繰出部へ紙幣が収納されるときの各紙幣の並びと、間隔検知センサの出力との関係を示した図である。
【図４】紙幣繰出し時において、紙幣Ｎ＋１に異常が発生した場合の態様と、そのときの間隔検知センサの出力との関係を説明するための図である。
【図５】搬送時における紙幣の折れの状態を示す図である。
【符号の説明】
１  紙幣受入部
２  金種識別部
３  間隔検知センサ
４  紙幣収納／繰出部
５  紙幣搬送路
６  紙幣返却口
【図１】
2005010980.tif 000003
【図２】
2005010980.tif 000004
【図３】
2005010980.tif 000005
【図４】
2005010980.tif 000006
【図５】
2005010980.tif 000007